(57)【特許請求の範囲】
【請求項１】
受け入れた土砂を土質改良材と混合して改質する自走式土質改良機において、
略円筒箱型形状の前記土質改良材の貯留タンクと、
この貯留タンク内底部近傍に設けられ、前記土質改良材を攪拌する攪拌手段とを備え、
この攪拌手段は、
前記貯留タンクの底部ほぼ中央に挿通した回転軸と、
この回転軸に放射状に設けた複数の攪拌翼と、
これら複数の攪拌翼の先端部を連結する略リング状の保持部材と、
この保持部材の外周部に設けられ、前記攪拌手段の反回転方向に向かって上り傾斜となるように設けた板状部材を有する少なくとも１つの掻き取り部材と
を備えることを特徴とする自走式土質改良機。
【請求項２】
受け入れた土砂を土質改良材と混合して改質する自走式土質改良機において、
略円筒箱型形状の前記土質改良材の貯留タンクと、
この貯留タンク内底部近傍に設けられ、前記土質改良材を攪拌する攪拌手段とを備え、
この攪拌手段は、
前記貯留タンクの底部ほぼ中央に挿通した回転軸と、
この回転軸に放射状に設けた複数の攪拌翼と、
その断面が略円形に形成され、前記複数の攪拌翼の先端部を連結する略リング状の保持部材と
を備えることを特徴とする自走式土質改良機。
【請求項３】
土砂に土質改良材を供給する土質改良材供給装置において、
略円筒箱型形状の前記土質改良材の貯留タンクと、
この貯留タンク内底部近傍に設けられ、前記土質改良材を攪拌する攪拌手段とを備え、
この攪拌手段は、
前記貯留タンクの底部ほぼ中央に挿通した回転軸と、
この回転軸に放射状に設けた複数の攪拌翼と、
これら複数の攪拌翼の先端部を連結する略リング状の保持部材と、
この保持部材の外周部に設けられ、前記攪拌手段の反回転方向に向かって上り傾斜となるように設けた板状部材を有する少なくとも１つの掻き取り部材と
を備えることを特徴とする土質改良材供給装置。
【請求項４】
土砂に土質改良材を供給する土質改良材供給装置において、
略円筒箱型形状の前記土質改良材の貯留タンクと、
この貯留タンク内底部近傍に設けられ、前記土質改良材を攪拌する攪拌手段とを備え、
この攪拌手段は、
前記貯留タンクの底部ほぼ中央に挿通した回転軸と、
この回転軸に放射状に設けた複数の攪拌翼と、
その断面が略円形に形成され、前記複数の攪拌翼の先端部を連結する略リング状の保持部材と
を備えることを特徴とする土質改良材供給装置。
【発明の詳細な説明】
【０００１】
【発明の属する技術分野】
本発明は、受け入れた土砂を土質改良材と混合して改良する自走式土質改良機及びこれに用いる土質改良材供給装置に関するものである。
【０００２】
【従来の技術】
近年、建設省によるいわゆる建設リサイクル推進計画の策定（１９９７年）といった廃棄物再利用促進の背景の下、例えば、ガス管等の埋設工事、上下水道工事、及びその他の道路工事・基礎工事等において発生する建設発生土砂を土質改良材とともに混合処理し、リサイクル用の改良土とする自走式土質改良機のニーズが拡がりつつある。
この種の自走式土質改良機は、一般的に、改質対象土砂を受入れるホッパと、このホッパ内の土砂を搬送する搬送コンベアと、この搬送コンベア上の土砂に土質改良材を添加する土質改良材供給装置と、この搬送コンベアにより導入された土砂及び土質改良材を混合して改良土を生成する混合装置と、この生成した改良土を機外に排出する排出コンベアとを備えている。
【０００３】
ここで、上記の土質改良材供給装置としては、例えば特開２００１−０３２３２０号公報に記載のように、略円筒箱型形状の貯留タンク内に貯留した土質改良材を、この貯留タンクの下部に設けたフィーダにより一定量づつ導出するものが既に提唱されている。また、この従来技術においては、貯留タンク内の底部近傍に土質改良材を攪拌する攪拌手段（ホッパ内攪拌手段）を備えており、貯留タンク内の下方の土質改良材を円滑に上記フィーダに導くようになっている。
なお、この攪拌手段は、貯留タンクの底部略中央に貫通した回転軸と、この回転軸に複数取付けた攪拌翼（主攪拌翼）と、この複数の攪拌翼の先端部を連結する略リング状の保持部材とを備えている。
【０００４】
【発明が解決しようとする課題】
ここで、通常、貯留タンクの側壁内面、保持部材の外周部等は、厳密な円形に成形することは難しく、また、仮にこれらを機械加工して真円に近付けたとしても、上記攪拌手段は、通常、溶接により成形されるため、攪拌手段の回転軸が必ずしも、正確に中心に位置しているとは限らない。この結果、攪拌手段の保持部材の外周部における任意の箇所から見ると、攪拌手段が回転駆動する際、貯留タンクの側壁内面との間の間隙寸法は１周の間に規則的に変化することとなる。
【０００５】
すなわち、上記従来技術において、攪拌手段の回転に伴い、貯留タンクの側壁内面と保持部材の外周部との間隙が広くなったり狭くなったりすることにより、この間隙に存在する土質改良材が圧密され、貯留タンク側壁内面に固結するといった状況が生じる。この場合、攪拌手段を回転させる駆動装置にかかる負荷が増大し、甚だしい場合には、稼動停止といった不具合を生じさせる可能性がある。
【０００６】
本発明は、上記の事柄に基づいてなされたものであり、その目的は、貯留タンク内の土質改良材の圧密を防止し、攪拌手段を円滑に駆動させることができる自走式土質改良機及びこれに用いる土質改良材供給装置を提供することにある。
【０００７】
【課題を解決するための手段】
（１）上記目的を達成するために、本発明は、受け入れた土砂を土質改良材と混合して改質する自走式土質改良機において、略円筒箱型形状の前記土質改良材の貯留タンクと、この貯留タンク内底部近傍に設けられ、前記土質改良材を攪拌する攪拌手段とを備え、この攪拌手段は、前記貯留タンクの底部ほぼ中央に挿通した回転軸と、この回転軸に放射状に設けた複数の攪拌翼と、これら複数の攪拌翼の先端部を連結する略リング状の保持部材と、この保持部材の外周部に設けられ、前記攪拌手段の反回転方向に向かって上り傾斜となるように設けた板状部材を有する少なくとも１つの掻き取り部材とを備える。
【０００８】
本発明においては、攪拌手段が回転する際、その保持部材の外周部に設けた掻き取り部材により、貯留タンクの側壁内面と保持部材の外周部との間隙に存在する土質改良材を耕すように掻き取ることができる。これにより、貯留タンクと保持部材との間の土質改良材の圧密・固結を防止することができ、攪拌手段を円滑に駆動させることができる。
【００１０】
（２）上記目的を達成するために、また本発明は、受け入れた土砂を土質改良材と混合して改質する自走式土質改良機において、略円筒箱型形状の前記土質改良材の貯留タンクと、この貯留タンク内底部近傍に設けられ、前記土質改良材を攪拌する攪拌手段とを備え、この攪拌手段は、前記貯留タンクの底部ほぼ中央に挿通した回転軸と、この回転軸に放射状に設けた複数の攪拌翼と、その断面が略円形に形成され、前記複数の攪拌翼の先端部を連結する略リング状の保持部材とを備える。
【００１１】
本発明においては、攪拌手段のリング状の保持部材の断面が略円形に形成されているので、攪拌手段が回転する際、保持部材の土質改良材を押し固める作用をする部分の面積を大幅に低減させることができる。これにより、貯留タンクと保持部材との間の土質改良材の圧密・固結を防止することができ、攪拌手段を円滑に駆動させることができる。
【００１２】
（３）上記目的を達成するために、本発明は、土砂に土質改良材を添加する土質改良材供給装置において、略円筒箱型形状の前記土質改良材の貯留タンクと、この貯留タンク内底部近傍に設けられ、前記土質改良材を攪拌する攪拌手段とを備え、この攪拌手段は、前記貯留タンクの底部ほぼ中央に挿通した回転軸と、この回転軸に放射状に設けた複数の攪拌翼と、これら複数の攪拌翼の先端部を連結する略リング状の保持部材と、この保持部材の外周部に設けられ、前記攪拌手段の反回転方向に向かって上り傾斜となるように設けた板状部材を有する少なくとも１つの掻き取り部材とを備える。
【００１３】
（４）上記目的を達成するために、本発明は、土砂に土質改良材を添加する土質改良材供給装置において、略円筒箱型形状の前記土質改良材の貯留タンクと、この貯留タンク内底部近傍に設けられ、前記土質改良材を攪拌する攪拌手段とを備え、この攪拌手段は、前記貯留タンクの底部ほぼ中央に挿通した回転軸と、この回転軸に放射状に設けた複数の攪拌翼と、その断面が略円形に形成され、前記複数の攪拌翼の先端部を連結する略リング状の保持部材とを備える。
【００１４】
【発明の実施の形態】
以下、本発明の自走式土質改良機の一実施の形態を図面を用いて説明する。
図１は本発明の自走式土質改良機の一実施の形態の全体構造を表す側面図、図２はその上面図である。
これら図１及び図２において、１は走行体で、この走行体１は、トラックフレーム２と、このトラックフレーム２の両端に設けた従動輪３及び駆動輪４と、この駆動輪４に直結した駆動装置５と、従動輪３及び駆動輪４に掛け回した履帯６と、トラックフレーム２の上部に設けた本体フレーム７とで構成されている。
８は投入される土砂を粒度に応じて選別する篩装置で、この篩装置８は、所定の目の大きさの格子９（図２参照）を内部に装着している。また、この篩装置８は、本体フレーム７長手方向一方側（図１中左側）上部にばね１０を介して振動可能に支持され、振動しつつ格子９の目の大きさよりも大きなものを除去し、小さなものを下方へ導くようになっている。１１はこの篩装置８の駆動装置（図２参照）である。
１２は篩装置８で選別された土砂を受け入れるホッパで、このホッパ１２は、上方拡開の枠状に形成されており、篩装置８の下方に位置するように本体フレーム７長手方向一方側（図１中左側）に支持されている。１３はこのホッパ１２内の土砂を搬送する搬送コンベアで、この搬送コンベア１３は、ホッパ１２の下方から搬送方向（図１中右方向）に向かって上り傾斜となるように、本体フレーム７に支持されている。
【００１５】
１４は貯留した土質改良材を土砂に添加する土質改良材供給装置で、この土質改良材供給装置１４は、略円筒箱型の土質改良材の貯留部としての貯留タンク１５と、この貯留タンク１５の下部に設けられ、搬送コンベア１３上の土砂に土質改良材を添加する供給部としてのフィーダ１６とで構成されている（土質改良材１４の詳細は後述）。１７は本体フレーム７の長手方向（図１中左右方向）中央付近に立設した複数（例えば３本）の支柱で、貯留タンク１５を支持している。
１８は改良土を生成する混合装置で、繁雑防止のため特に図示しないが、この混合装置１８は、内部に略平行な複数のパドル型のミキサ（図示せず）を備えており、このパドルミキサにより、搬送コンベア１３から導入された土砂及び土質改良材を混合して改良土を生成するようになっている。また、この混合装置１８は、本体フレーム７の長手方向（図１中左右方向）中央付近に略水平に設けられており、繁雑防止のため特に図示しないが、その一方側（図１中左側）上部に土砂及び土質改良材の入口を、他方側（図１中右側）下部に改良土の出口を備えている。１９は上記パドルミキサを駆動する駆動装置である。
【００１６】
２０はこの混合装置１８で生成した改良土を機外に排出する排出コンベアで、この排出コンベア２０は、図示しない支持部材により本体フレーム７等から吊り下げ支持されている。また、この排出コンベア２０は、混合装置１８の出口の下方から機外（この場合、図１中右方向）に延設され、搬送方向（図１中右方向）に向かって上り傾斜となっている。２１はこの排出コンベアの駆動装置である。
２２は本実施の形態の自走式土質改良機の駆動源を備えた動力装置で、この動力装置２２は、本体フレーム７の長手方向他方側（図１中右側）端部に支持部材２３を介して支持されている。また、繁雑防止のため特に図示しないが、この動力装置２２は、エンジンと、このエンジンにより駆動される少なくとも１つの油圧ポンプと、この油圧ポンプから各駆動装置に供給される圧油を制御する複数のコントロールバルブとを内蔵している。
【００１７】
ここで、前述の土質改良材供給装置１４の詳細構造を以下に説明する。
図３はこの土質改良材供給装置１４の詳細構造を表す側面図、図４はその側断面図である。
これら図３及び図４に示すように、前述の貯留タンク１５は、全体がほぼ円筒形の箱状に形成されており、上記支柱１７は、厳密には台板２４を介して貯留タンク１５を支持している。また、この貯留タンク１５は、有底筒形の下部タンク部２５と、その上部に連接した蛇腹状の上部タンク部２６と、そのさらに上部に蓋をするように設けた天板部２７とで構成されている。
２８は天板部２７に設けた土質改良材充填用の受入口（図４参照）、２９はこの受入口２８の開閉蓋、３０は天板部２７の下部に設けた格子部材で、この格子部材３０は、受入口２８の下方に位置するようにアーム３１を介して天板部２７に垂設され、その上部に上方縮径形状のカッタ３２を設けている。すなわち、この貯留タンク１５に土質改良材を充填する際には、開閉蓋２９を開放し、例えばクレーン等により土質改良材を収容したフレキシブルコンテナを受入口２８に挿入すると、このコンテナは、自重によりカッタ３２に押し付けられ、内部の土質改良材がその切り裂かれた下部から貯留タンク１５内に流入するようになっている。
【００１８】
３３は天板部２７の外周部に複数（この例では３つ）設けた取付部、３４は各取付部３３に固定的に垂設した支持ポストで、この支持ポスト３４は、前述の台板２４に貫通して設けたガイド筒３５に挿通されている。また、３６は支持ポスト３４に所定の間隔で設けたピン穴、３７はこのピン穴３６にガイド筒３５を介して挿入したストッパピンである。この構造により、蛇腹状に形成された前述の上部タンク部２６を伸縮させることにより、支持ポスト３４がガイド筒３５にガイドされて上下方向にスライドするようになっている。これにより、貯留タンク１５の高さを変化させることができ、ガイド筒３５を介して所定のピン穴３６にストッパピン３７を挿入することにより、貯留タンク１５の内部容積を変更することができるようになっている。また、自走式土質改良機をトレーラ等で輸送するときには、その状態は特に図示しないが、上部タンク部２６を限縮させて保持すると、自走式土質改良機の全高を輸送制限をクリアする高さまで低減できるようになっている。
【００１９】
３８は土質改良材を攪拌する攪拌手段で、この攪拌手段３８は、貯留タンク１５内底部近傍に設けられている。
図５（ａ）は図４中Va−Va断面による水平断面図、図５（ｂ）はこの図５（ａ）中矢印Vb方向から見た攪拌手段３８の部分側面図である。
これら図５（ａ）及び図５（ｂ）に示すように、この攪拌手段３８は、貯留タンク１５底部（すなわち下部タンク部２５底部）ほぼ中央に挿通した回転軸３９と、この回転軸３９に放射状に設けた複数（この例では４本）の攪拌翼４０と、これら攪拌翼４０の先端部を連結する略リング状の保持部材４１と、この保持部材４１の内周側に所定長さ突出した複数の補助攪拌翼４２と、保持部材４１の外周部に設けた掻き取り部材４３（詳細は後述）とで構成されている。各攪拌翼４０の先端は、下部タンク部２５の側壁内面近傍まで延在され、これらを連結する保持部材４１と下部タンク２５側壁内面との間には、僅かに間隙が存在している。また、攪拌手段３８の回転軸３９は、下部タンク部２５の下部に設けた駆動装置４４（図４参照）に連結しており、攪拌手段３８は、この駆動装置４４により、通常、図５（ａ）中矢印Ａで示した方向に回転するようになっている。
４５は上記フィーダ１６に連通した土質改良材導入口で、この土質改良材導入口４５は、下部タンク部２５の底部における外周寄りの位置に設けられており、上記補助攪拌翼４２の回転軌跡はこの土質改良材導入口４５の上方にかかっている。また、補助攪拌翼４２における回転方向Ａ前方側の側面４２Ａは、その平面上において、攪拌手段３８の径方向内側に向けて回転方向Ａと反対方向に傾斜している。これにより、下部タンク部２５の底部近傍の土質改良材を、中央側のものは攪拌翼４０に倣わせるようにして外周側に移送し、外周側のものは補助攪拌翼４２の側面４２Ａに沿わせて所定距離中央側に押し戻し、これにより、円滑に土質改良材を土質改良材導入口４５に向けて切り出すようになっている。
【００２０】
ここで、前記掻き取り部材４３は、本実施の形態の特徴を成すもので、攪拌手段３８の回転方向Ａと反対方向に向かって上り傾斜でとなる板状部材４３Ａを有しており、この板状部材４３Ａにより下部タンク部２５と保持部材４２との間の間隙に存在する土質改良材を掻き起こし、保持部材４１の内側に掬い戻したり、耕すようにして嵩密度を低下させたりするようになっている。なお、４３Ｂは板状部材４３Ａと線対称に設けた板状部材で、これは攪拌手段３８を逆転駆動させた場合に、板状部材４３Ａと同様に作用する。また、本実施の形態においては、掻き取り部材４３を１つ設ける構成としたが、複数設けても構わない。
【００２１】
図４に戻り、４６は下部タンク部２５及び上部タンク部２６の間に介設した傾斜隔壁で、この傾斜隔壁４６は、貯留タンク１５内でその中央の開口４６Ａに向かって下り傾斜に設けられ、上部タンク部２６内に導入された土質改良材を下部タンク部２５の中央付近に導出するようになっている。攪拌手段３８は、この土質改良材を回転することにより徐々に土質改良材導入口４５に導くようになっている。また、この傾斜隔壁４６によれば、上部タンク部２６内の土質改良材の重量が攪拌手段３８に直接かからないようにし、攪拌手段３８の作動負荷を低減させる役割もある。
【００２２】
なお、この図４に示すように、フィーダ１６は、公知のいわゆるロータリフィーダで構成され、内部にロータ４７を備えている。このロータ４７は、回転軸４８と、この回転軸４８に放射状に突設した複数の隔壁４９とで構成されている。すなわち、フィーダ１６は、ロータ４７を回転させることにより、上記土質改良材導入口４５を介してロータ４７の隣接する隔壁４９，４９間の空間に導入された所定量の土質改良材を、水車のように定量づつ下方に創出するようになっている。
【００２３】
次に、以上で構成を説明してきた本実施の形態の自走式土質改良機の動作及び作用を説明する。
例えば油圧ショベル等により篩装置８に改質対象となる土砂を投入すると、この篩装置８の格子９を通過した土砂が下方のホッパ１２へと導入され、搬送コンベア１３により搬送される。そして、この搬送コンベア１３により搬送される土砂は、搬送中に土質改良材供給装置１４から添加された土質改良材とともに混合装置１８に導入され、ここでパドルミキサにより均一に攪拌混合された後、排出コンベア２０によって搬送され機外に排出される。
【００２４】
本実施の形態においては、土質改良材供給装置１４において、攪拌手段３８が回転する際、その保持部材４１の外周部に設けた掻き取り部材４３により、貯留タンク１５の、厳密には下部タンク部２５の側壁内面と保持部材４１の外周部との間隙に存在する土質改良材を掻き起こし、例えば保持部材４１の内側へ押し戻したり、嵩密度を低下させたりすることができる。これにより、貯留タンク１５と保持部材４１との間の土質改良材の圧密・固結を防止することができ、攪拌手段３８を円滑に駆動させることができる。その結果、自走式土質改良機の稼動停止に伴う改良土の生産性低下を防止することができる。
また、攪拌手段３８の作動負荷の変動が少なくなるので、攪拌手段３８をよりスムーズに回転させることができ、土質改良材の切出し量の変動を小さくすることができる。その結果、フィーダ１６の土質改良材の導出量が安定し、土砂及び土質改良材の混合比のバラツキが小さくなるので、改良土品質の安定化にもつながる。さらに、土質改良材の導出量の安定化により、土質改良材が土砂に過剰に供給されたりすることもなく、土質改良材の過剰消費を防止することもできる。加えて、攪拌手段３８の駆動を円滑にすることができるので、作動負荷が低減され、攪拌手段３８の駆動装置４４を小型化することができ、経済性向上及びコスト低減といったメリットを得ることもできる。
【００２５】
なお、本実施の形態においては、掻き取り部材４３を板状部材４３Ａ，４３Ｂで構成したが、図６に示したような、上方に向かって凸の円弧状の掻き取り部材４３’を設けても良い。この円弧状の掻き取り部材４３’にあっても、攪拌手段３８の回転方向Ａで見た前面側（図６中左側）が回転方向Ａと反対方向に上り傾斜となっているため、土質改良材を掻き起こすように作用する。また、攪拌手段３８を逆回転させる場合にも、上記と逆側（図６中右側）は、その逆転方向と反対方向（つまり回転方向Ａ）に上り傾斜となっているので、同様に作用する。
要するに、上記効果を得る限りにおいて、掻き取り部材は、保持部材４１及び下部タンク部２５側壁内面間の間隙の土質改良材を掻き起こすような形状であればよい。
【００２６】
次に、本発明の自走式土質改良機の他の実施の形態を説明する。
図７は、本発明の自走式土質改良機の他の実施の形態に備えられた土質改良材供給装置の詳細構造を表す側断面図で、先の図４に対応する図である。なお、この図７において、先の各図と同様の部分には同符号を付し説明を省略する。
この図７に示すように、本実施の形態においては、前述の一実施の形態において、掻き取り部材４３を設ける代わりに、断面が略円形の保持部材４１’を用いている。それ以外の構成は、上記一実施の形態と同様である。
【００２７】
本実施の形態においては、攪拌手段３８のリング状の保持部材４１’の断面が略円形に形成されているので、攪拌手段３８が回転する際、保持部材４１’の土質改良材を押し固める作用をする部分の面積を大幅に低減させることができる。これにより、貯留タンク１５（この場合下部タンク部２５）と保持部材４１’との間の土質改良材の圧密・固結を防止することができ、攪拌手段３８を円滑に駆動させることができる。
また、本実施の形態においても、攪拌手段３８の作動負荷の変動が少なくなるので、改良土品質の安定し、土質改良材の過剰消費を防止することもできる。さらに、上記同様、攪拌手段３８の駆動装置４４を小型化することができ、経済性向上及びコスト低減といったメリットを得ることもできる。
なお、本実施の形態においては、保持部材４１’の断面を略円形としたが、楕円径、菱形等といった形状としてもよく、要するに、土質改良材を下部タンク部２５の内壁に押し付ける面積を低減させるような形状とすればよい。
【００２８】
最後に、以上において、走行体１として履帯６を備える自走式土質改良機を例にとって説明してきたが、これに限られず、以上は例えばホイール式の走行体を備える自走式土質改良機に適用可能しても良い。また、いわゆる振動篩である篩装置８を設けたが、省略しても、代わりに固定篩を設ける構造としても良い。これらの場合も同様の効果を得る。
また、土砂及び土質改良材をパドルミキサにより混合して改良土を生成するいわゆるミキシング方式の混合装置１８を搭載した自走式土質改良機を例にとって説明したが、以上の各実施の形態は、例えばソイルカッタ等を用いて土砂及び土質改良材を解砕混合し、さらに高速回転するロータリハンマ等を用いて細粒化する解砕方式の混合装置を搭載した自走式土質改良機に対しても適用できる。
【００２９】
【発明の効果】
請求項１に記載の発明によれば、攪拌手段の保持部材の外周部に掻き取り部材を設けたので、攪拌手段が回転する際、貯留タンクの側壁内面と保持部材の外周部との間隙に存在する土質改良材を、掻き取り部材により掻き取ることができる。これにより、貯留タンクと保持部材との間の土質改良材の圧密・固結を防止することができ、攪拌手段を円滑に駆動させることができる。その結果、自走式土質改良機の稼動停止に伴う改良土の生産性低下を防止することができる。
【００３０】
請求項２に記載の発明によれば、攪拌手段の保持部材を略断面円形に形成したので、攪拌手段が回転する際、保持部材の土質改良材を押し固める作用をする部分の面積を大幅に低減させることができる。これにより、貯留タンクと保持部材との間の土質改良材の圧密・固結を防止することができ、攪拌手段を円滑に駆動させることができる。その結果、自走式土質改良機の稼動停止に伴う改良土の生産性低下を防止することができる。
【図面の簡単な説明】
【図１】本発明の自走式土質改良機の一実施の形態の全体構造を表す側面図である。
【図２】本発明の自走式土質改良機の一実施の形態の全体構造を表す上面図である。
【図３】本発明の自走式土質改良機の一実施の形態に備えられた土質改良材供給装置の詳細構造を表す側面図である。
【図４】本発明の自走式土質改良機の一実施の形態に備えられた土質改良材供給装置の詳細構造を表す側断面図である。
【図５】本発明の自走式土質改良機の一実施の形態に備えられた攪拌手段の詳細構造を表す図４中Va−Va断面による水平断面図、及びこの図中矢印Vb方向から見た攪拌手段の部分側面図である。
【図６】本発明の自走式土質改良機の一変形例に備えられた攪拌手段の部分側面図である。
【図７】本発明の自走式土質改良機の他の実施の形態に備えられた土質改良材供給装置の詳細構造を表す側断面図である。
【符号の説明】
１４        土質改良材供給装置
１５        貯留タンク
３８        攪拌手段
３９        回転軸
４０        攪拌翼
４１        保持部材
４１’      保持部材
４３        掻き取り部材
４３’      掻き取り部材
４３Ａ，Ｂ  板状部材
【図１】
0003681663.tif 000002
【図２】
0003681663.tif 000003
【図３】
0003681663.tif 000004
【図４】
0003681663.tif 000005
【図５】
0003681663.tif 000006
【図６】
0003681663.tif 000007
【図７】
0003681663.tif 000008